(57)【要約】【課題】  携帯端末を所持するユーザの危険性を低減する。【解決手段】  携帯端末１０は、表示画面上に情報の表示を行うタッチパネル１１と、自端末１０の物理的な状態を検出する状態検出部２１と、状態検出部２１によって検出された状態に基づいて、自端末１０を携帯しているユーザが歩行しているか否かを判定する歩行判定部２２と、歩行判定部２２による判定に応じて、タッチパネル１１によって表示される情報の音声出力を行うように制御する制御部２４とを備える。【選択図】  図２
2015194992.tif 000002
【特許請求の範囲】
【請求項１】
表示画面上に情報の表示を行う表示手段と、
自端末の物理的な状態を検出する状態検出手段と、
前記状態検出手段によって検出された状態に基づいて、自端末を携帯しているユーザが歩行しているか否かを判定する歩行判定手段と、
前記歩行判定手段による判定に応じて、前記表示手段によって表示される情報の音声出力を行うように制御する制御手段と、
を備える携帯端末。
【請求項２】
前記状態検出手段は、自端末の物理的な状態として、自端末の速度、加速度又は姿勢を検出する請求項１に記載の携帯端末。
【請求項３】
前記制御手段は、予め設定されたルールに基づき、前記表示手段によって表示される情報のうち、音声出力を行う部分を決定する請求項１又は２に記載の携帯端末。
【請求項４】
前記制御手段は、前記表示手段によって表示される情報に含まれるタグに基づいて、音声出力を行う部分を決定する請求項３に記載の携帯端末。
【請求項５】
前記制御手段は、前記表示手段によって表示される情報の音声出力を行うように制御すると共に前記表示手段による表示を禁止する請求項１〜４の何れか一項に記載の携帯端末。
【請求項６】
前記表示手段は、表示画面に対する接触を検出して当該接触による自端末に対する操作を受け付け、
前記制御手段は、前記表示手段によって表示される情報の音声出力を行うように制御すると共に前記表示手段による接触による操作の受け付けを禁止する、請求項１〜５の何れか一項に記載の携帯端末。
【請求項７】
前記表示手段は、表示画面に対する接触を検出して当該接触による自端末に対する操作を受け付け、
前記制御手段は、前記表示手段によって表示される情報の音声出力を行うように制御すると共に、前記歩行判定手段による判定に応じて、前記表示手段によって受け付けられた操作に応じた自端末の動作を設定する、請求項１〜６の何れか一項に記載の携帯端末。
【請求項８】
時系列な撮像を行う撮像手段を更に備え、
前記制御手段は、前記撮像手段による時系列な撮像によって得られた画像に基づいて、自端末がユーザの手に持たれているか否かを判定し、当該判定にも応じて、前記表示手段によって表示される情報の音声出力を行うように制御する、請求項１〜７の何れか一項に記載の携帯端末。
【請求項９】
前記表示手段を介さずに自端末に対する操作を受け付ける操作受付手段を更に備え、
前記制御手段は、前記表示手段によって表示される情報の音声出力を行うように制御すると共に、前記歩行判定手段による判定に応じて、前記操作受付手段によって受け付けられた操作に応じた自端末の動作を設定する、請求項１〜８の何れか一項に記載の携帯端末。
【請求項１０】
前記制御手段は、前記表示手段によって表示される情報のスクロールの速度を検出して、検出したスクロールの速度に応じた速度で前記音声出力を行うように制御する請求項１〜９の何れか一項に記載の携帯端末。
【請求項１１】
自端末の位置、自端末に入力される音、及び現在の時刻の少なくとも何れかを含む自端末が置かれた環境を検出する環境検出手段を更に備え、
前記制御手段は、前記環境検出手段によって検出された環境にも応じて、前記表示手段によって表示される情報の音声出力を行うように制御する、請求項１〜１０の何れか一項に記載の携帯端末。
【請求項１２】
表示画面上に情報の表示を行う表示手段を備える携帯端末の動作方法である制御方法であって、
自端末の物理的な状態を検出する状態検出ステップと、
前記状態検出ステップにおいて検出された状態に基づいて、自端末を携帯しているユーザが歩行しているか否かを判定する歩行判定ステップと、
前記歩行判定ステップにおける判定に応じて、前記表示手段によって表示される情報の音声出力を行うように制御する制御ステップと、
を含む制御方法。
【発明の詳細な説明】
【技術分野】
【０００１】
本発明は、情報の表示を行う表示手段を備える携帯端末、及び当該携帯端末の制御方法に関する。
【背景技術】
【０００２】
近年、スマートフォン等の携帯端末において、タッチパネルの搭載が増えている。これらの端末では、情報の表示、及び操作のほとんどがタッチパネルで行われる。例えば、特許文献１には、このような端末において、タッチパネルに情報を表示すると共に、タッチパネルによる表示された情報に対する操作を受け付けることが記載されている。
【先行技術文献】
【特許文献】
【０００３】
【特許文献１】特開２０１３−１０５４６１号公報
【発明の概要】
【発明が解決しようとする課題】
【０００４】
歩行中にスマートフォン等の携帯端末を利用することにより、通行人にぶつかったり、自転車やバイク等との接触事故が発生し、けが人が多く発生するといったりといったトラブルが起こりやすい。また、注意力が散漫になることにより、不審者のターゲットになりやすい。特に、フィーチャーホンに比べ、スマートフォンでは、ブラウザ上の情報量が多くなったこと、及びタッチパネル操作になったことで画面を注視する時間が長くなってきており、危険性が高まっている。
【０００５】
本発明は、以上の問題点を解決するためになされたものであり、携帯端末を所持するユーザの危険性を低減することができる携帯端末及び制御方法を提供することを目的とする。
【課題を解決するための手段】
【０００６】
上記の目的を達成するために、本発明に係る携帯端末は、表示画面上に情報の表示を行う表示手段と、自端末の物理的な状態を検出する状態検出手段と、状態検出手段によって検出された状態に基づいて、自端末を携帯しているユーザが歩行しているか否かを判定する歩行判定手段と、歩行判定手段による判定に応じて、表示手段によって表示される情報の音声出力を行うように制御する制御手段と、を備える。
【０００７】
本発明に係る携帯端末では、ユーザが歩行していると判定される場合には、表示される情報の音声出力が行われる。従って、携帯端末を所持するユーザが歩行している場合には、表示画面を見る必要をなくさせることができる。即ち、本発明に係る携帯端末によれば、携帯端末を所持するユーザの危険性を低減することができる。
【０００８】
状態検出手段は、自端末の物理的な状態として、自端末の速度、加速度又は姿勢を検出することとしてもよい。この構成によれば、確実にユーザが歩行しているか否かを判定することができる。従って、この構成によれば、確実に携帯端末を所持するユーザの危険性を低減することができる。
【０００９】
制御手段は、予め設定されたルールに基づき、表示手段によって表示される情報のうち、音声出力を行う部分を決定することとしてもよい。この構成によれば、例えば、ユーザに有益な情報のみを音声出力することができる。
【００１０】
制御手段は、表示手段によって表示される情報に含まれるタグに基づいて、音声出力を行う部分を決定することとしてもよい。この構成によれば、確実に音声出力すべき部分を決定することができる。
【００１１】
制御手段は、表示手段によって表示される情報の音声出力を行うように制御すると共に表示手段による表示を禁止することとしてもよい。この構成によれば、ユーザの歩行中に、表示画面を見ることを防止することができる。従って、この構成によれば、携帯端末を所持するユーザの危険性を更に低減することができる。
【００１２】
表示手段は、表示画面に対する接触を検出して当該接触による自端末に対する操作を受け付け、制御手段は、表示手段によって表示される情報の音声出力を行うように制御すると共に表示手段による接触による操作の受け付けを禁止する、こととしてもよい。この構成によれば、ユーザの歩行中に、ユーザが携帯端末の表示画面上に対する操作を行うことを防止することができる。従って、この構成によれば、携帯端末を所持するユーザの危険性を更に低減することができる。
【００１３】
表示手段は、表示画面に対する接触を検出して当該接触による自端末に対する操作を受け付け、制御手段は、表示手段によって表示される情報の音声出力を行うように制御すると共に、歩行判定手段による判定に応じて、表示手段によって受け付けられた操作に応じた自端末の動作を設定する、こととしてもよい。この構成によれば、例えば、音声出力中に音声出力に対する操作を、表示画面を見ずに行わせることができる。これにより、ユーザの利便性を向上させることができる。
【００１４】
携帯端末は、時系列な撮像を行う撮像手段を更に備え、制御手段は、撮像手段による時系列な撮像によって得られた画像に基づいて、自端末がユーザの手に持たれているか否かを判定し、当該判定にも応じて、表示手段によって表示される情報の音声出力を行うように制御する、こととしてもよい。この構成によれば、必要な場合のみに音声出力を行うことができる。
【００１５】
携帯端末は、表示手段を介さずに自端末に対する操作を受け付ける操作受付手段を更に備え、制御手段は、表示手段によって表示される情報の音声出力を行うように制御すると共に、歩行判定手段による判定に応じて、操作受付手段によって受け付けられた操作に応じた自端末の動作を設定する、こととしてもよい。この構成によれば、例えば、音声出力中に音声出力に対する操作を、表示画面を見ずに行わせることができる。これにより、ユーザの利便性を向上させることができる。
【００１６】
制御手段は、表示手段によって表示される情報のスクロールの速度を検出して、検出したスクロールの速度に応じた速度で音声出力を行うように制御することとしてもよい。この構成によれば、携帯端末を用いるユーザに合った速度で音声出力を行うことができる。これにより、ユーザの利便性を向上させることができる。
【００１７】
携帯端末は、自端末の位置、自端末に入力される音、及び現在の時刻の少なくとも何れかを含む自端末が置かれた環境を検出する環境検出手段を更に備え、制御手段は、環境検出手段によって検出された環境にも応じて、表示手段によって表示される情報の音声出力を行うように制御する、こととしてもよい。この構成によれば、音声出力が適切である環境に携帯端末が置かれている場合のみに音声出力を行うことができる。これにより、必要な場合のみに音声出力を行うことができ、ユーザの利便性を向上させることができる。
【００１８】
ところで、本発明は、上記のように携帯端末の発明として記述できる他に、以下のように制御方法の発明としても記述することができる。これはカテゴリが異なるだけで、実質的に同一の発明であり、同様の作用及び効果を奏する。
【００１９】
即ち、本発明に係る制御方法は、表示画面上に情報の表示を行う表示手段を備える携帯端末の動作方法である制御方法であって、自端末の物理的な状態を検出する状態検出ステップと、状態検出ステップにおいて検出された状態に基づいて、自端末を携帯しているユーザが歩行しているか否かを判定する歩行判定ステップと、歩行判定ステップにおける判定に応じて、表示手段によって表示される情報の音声出力を行うように制御する制御ステップと、を含む。
【発明の効果】
【００２０】
本発明では、ユーザが歩行していると判定される場合には、表示される情報の音声出力が行われる。従って、携帯端末を所持するユーザが歩行している場合には、表示画面を見る必要をなくさせることができる。即ち、本発明によれば、携帯端末を所持するユーザの危険性を低減することができる。
【図面の簡単な説明】
【００２１】
【図１】本発明の実施形態に係る携帯端末の外観を示す図である。
【図２】本発明の実施形態に係る携帯端末の機能構成を示す図である。
【図３】ユーザが歩行している場合のタッチパネルの操作領域を示す図である。
【図４】本発明の実施形態に係る携帯端末のハードウェア構成を示す図である。
【図５】本発明の実施形態に係る携帯端末で実行される処理である制御方法を示すフローチャートである。
【図６】スクロールの速度の検出についてのタッチパネルの表示画面の例を模式的に示す図である。
【発明を実施するための形態】
【００２２】
以下、図面と共に本発明に係る携帯端末及び制御方法の実施形態について詳細に説明する。なお、図面の説明においては同一要素には同一符号を付し、重複する説明を省略する。
【００２３】
図１に本実施形態に係る携帯端末１０を示す。携帯端末１０は、ユーザ（操作者）に用いられるコンピュータであり、例えば、スマートフォン及びタブレット端末である。携帯端末１０は、ユーザによって携帯（所持）されて用いられる。携帯端末１０は、その筺体にタッチパネル１１を備えている。タッチパネル１１は、表示画面上に情報の表示を行う表示手段（ディスプレイ）である。また、タッチパネル１１は、表示画面へのユーザの接触に基づく情報の入力を行う。
【００２４】
携帯端末１０は、タッチパネル１１が設けられた主面に設けられたスピーカー１２を備えている。また、携帯端末１０は、主面に対する側面に設けられたイヤホンジャック１３を備えている。イヤホンジャック１３には、イヤホンを挿入することができる。スピーカー１２及びイヤホンジャック１３は、携帯端末１０において音声出力を行う手段である。イヤホンジャック１３にイヤホンが挿入されている場合には、音声データがイヤホンジャック１３を介してイヤホンに出力される（音声自体はイヤホンから出力される）。また、イヤホンジャック１３にイヤホンが挿入されていない場合には、音声がスピーカー１２から出力される。なお、本実施形態における携帯端末１０からの音声出力は、スピーカー１２からの音声出力だけでなく、イヤホンジャック１３からの音声データの出力（外部への音声データの出力）を含む。
【００２５】
携帯端末１０は、主面に設けられると共に撮像を行う撮像手段であるカメラ１４を備えている。携帯端末１０は、携帯端末１０を操作するための物理的なボタンであるハードキーとして、電源ボタン１５と、音量調節ボタン１６と、カメラ撮影ボタン１７とを備えている。これらのボタン１５〜１７は、携帯端末１０の主面に対する側面に設けられている。電源ボタン１５は、携帯端末１０の電源のオンオフを行うためのボタンである。電源ボタン１５が長押しされる（予め設定された時間以上、押下状態が継続した後、押下状態が終了する）と、携帯端末１０の電源のオンオフ（オンの状態であればオフに、オフの状態であればオンにする、以下同様）が行われる。電源ボタン１５が短押しされる（予め設定された時間未満、押下状態が継続した後、押下状態が終了する）と、タッチパネル１１電源のオンオフ（タッチパネル１１（ディスプレイ）のバックライトのオンオフ）が行われる。音量調節ボタン１６は、携帯端末１０から出力される音声出力の音量を上げ下げするためのボタンである。音量調節ボタン１６は、上げる方向及び音量を下げる方向の何れかに押下することができる。例えば、図１に示す音量調節ボタン１６の上側が押下されると音量が上げられ、図１に示す音量調節ボタン１６の下側が押下されると音量が下げられる。カメラ撮影ボタン１７は、カメラ１４による撮像を行うためのボタンであり、押下されると撮像が行われる。
【００２６】
携帯端末１０は、その内部に速度センサ、加速度センサ及びジャイロセンサといった自端末１０の物理的な状態を検出するセンサを備えている。
【００２７】
引き続いて、携帯端末１０の本発明に係る機能について説明する。図２に示すように携帯端末１０は、タッチパネル１１と、状態検出部２１と、歩行判定部２２と、カメラ１４と、操作受付部２３と、制御部２４と、音声出力部２５とを備えて構成されている。携帯端末１０は、上記の機能以外にも、移動体通信機能等の通常、スマートフォン等の装置が備える機能を備えていてもよい。
【００２８】
タッチパネル１１は、上述したように表示画面上に情報の表示を行う表示手段である。具体的には、タッチパネル１１は、例えば、ユーザの操作に応じて携帯端末１０において実行されるアプリケーションから表示画面に表示する情報を入力して、当該情報を表示する。タッチパネル１１に対して表示する情報を入力するアプリケーションは、例えば、Ｗｅｂページを表示するブラウザである。タッチパネル１１に表示される情報は、例えば、ＨＴＭＬ（HyperText Markup Language）により記述されたデータである。
【００２９】
タッチパネル１１は、表示画面に対する接触（タッチ）を検出（検知）して、当該接触による自端末１０に対する操作（タッチ操作）を受け付ける。例えば、タッチパネル１１は、表示画面に対してユーザの指等が接触することによる静電容量の変化を検出し、これらの変化に基づく操作の入力を行う。タッチパネル１１は、表示画面における、ユーザの指等が接触された位置を検出して、当該位置における操作の入力を行う。ユーザの指等が接触された位置を示す情報は、具体的には例えば、タッチパネル１１の表示画面の座標（座標軸上の位置）である。携帯端末１０では、当該入力された操作に応じた動作が行われる。
【００３０】
状態検出部２１は、自端末１０の物理的な状態を検出する状態検出手段である。状態検出部２１によって、検出される自端末１０の物理的な状態は、携帯端末１０を携帯しているユーザが歩行しているか否かを判定するためのものである。具体的には、状態検出部２１は、自端末１０の物理的な状態として、自端末１０の速度、加速度又は姿勢を検出する。状態検出部２１は、携帯端末１０が備える速度センサ、加速度センサ及びジャイロセンサといったセンサにより上記の検出を行う。速度センサによって自端末１０の速度が、加速度センサによって自端末１０の加速度が、ジャイロセンサによって自端末１０の姿勢（自端末１０の上下左右の状態であり、例えば、重力方向に対する傾き）がそれぞれ検出される。なお、上記の各センサは、従来から用いられているものを用いることができる。また、ユーザの歩行を判定できれば、上記の各センサは携帯端末１０に全て設けられている必要はなく、何れかのセンサが設けられていればよい。また、ユーザの歩行を判定できれば、上記以外のセンサが用いられてもよい。
【００３１】
状態検出部２１は、例えば、リアルタイムに上記の状態を検出する。あるいは、状態検出部２１は、一定時間毎（例えば、数秒毎）に上記の状態を検出することとしてもよい。また、状態検出部２１は、本実施形態の機能が必要になる場合（例えば、ブラウザが起動されて、タッチパネル１１にブラウザから入力された情報が表示されている場合）のみに上記の状態を検出することしてもよい。状態検出部２１は、検出した自端末１０の状態を示す情報を歩行判定部２２に出力する。
【００３２】
歩行判定部２２は、状態検出部２１によって検出された状態に基づいて、自端末１０を携帯しているユーザが歩行しているか否かを判定する歩行判定手段である。歩行判定部２２によるユーザの歩行の判定は、従来の技術と同様に行われてもよい。例えば、歩行判定部２２は、ユーザが歩行している場合の自端末１０の状態を示す状態を予め記憶しておき、状態検出部２１から入力された情報により示される状態と記憶した状態とを比較することで判定を行う。歩行判定部２２は、比較の結果、状態検出部２１から入力された情報により示される状態が、記憶した状態と一致、あるいは類似していると判断された場合には、ユーザが歩行していると判定する。歩行判定部２２は、判定結果を制御部２４に通知する。
【００３３】
カメラ１４は、上述したように撮像を行う撮像手段である。カメラ１４は、時系列な撮像を行う。カメラ１４による撮像によって得られた画像は、自端末１０がユーザの手に持たれているか否かを判定するためのものである。カメラ１４は、例えば、リアルタイムに撮像を行う。あるいは、カメラ１４は、一定時間毎（例えば、数秒毎）に撮像を行うこととしてもよい。また、状態検出部２１は、本実施形態の機能が必要になる場合のみに撮像を行うことしてもよい。カメラ１４は、撮像して得られた画像を制御部２４に出力する。
【００３４】
操作受付部２３は、タッチパネル１１を介さずに自端末１０に対する操作を受け付ける操作受付手段である。例えば、操作受付部２３は、上述したハードキーである電源ボタン１５、音量調節ボタン１６、及びカメラ撮影ボタン１７等による操作を受け付ける。操作受付部２３は、これらのボタンが押下されたことを、自端末１０に対する操作として検出する。携帯端末１０では、受け付けられた操作に応じた動作が行われる。
【００３５】
後述する制御部２４による読み上げの制御と合わせて行われる制御部２４による動作の設定が行われない場合には、操作受付部２３によって自端末１０に対する操作が受け付けられると、上述した各ボタン１５〜１７に応じた通常の動作が行われる。後述する制御部２４による読み上げの制御と合わせて行われる制御部２４による動作の設定が行われる場合には、操作受付部２３によって自端末１０に対する操作が受け付けられると、上述した各ボタン１５〜１７に対して制御部２４によって設定された動作が行われる。
【００３６】
制御部２４は、歩行判定部２２による判定に応じて、タッチパネル１１によって表示される情報の音声出力を行うように（当該情報を読み上げる）制御する制御手段である。具体的には、制御部２４は、歩行判定部２２からユーザが歩行していると判定した旨の通知を受けた場合に上記の制御を行う。当該制御は、以下のように行われる。制御部２４は、通知を受けると、タッチパネル１１によって表示される情報を取得する。例えば、制御部２４は、ブラウザ等のアプリケーションによって表示されるデータ（例えば、ＨＴＭＬにより記述されたデータ）を当該アプリケーションから取得する。制御部２４は、取得したデータに含まれると共にタッチパネル１１によって表示される文字列を、音声合成することで音声データに変換する。制御部２４は、このようにして得られた音声データを音声出力部２５に出力して、音声出力させる。
【００３７】
なお、例えば、ＨＴＭＬにより記述されたデータには、ユーザにとって有益な情報やユーザが読み上げてもらいたいと考える情報がデータ全てに渡って含まれているとは限らない。そこで、制御部２４は、予め設定されたルール（読み上げパターン）に基づき、タッチパネル１１に表示される情報のうち、音声出力を行う部分を決定することとしてもよい。このルールは、ユーザあるいは携帯端末１０の製造者等によって予め携帯端末１０に設定される。例えば、制御部２４は、ＨＴＭＬにより記述されたデータに含まれるタグに基づいて、音声出力を行う部分を決定する。
【００３８】
例えば、制御部２４は、上記のルールとして、音声出力をする部分として抽出するＨＴＭＬのタグを記憶しておく。例えば、ｂｏｄｙ、ｔｉｔｌｅ、ｃａｐｔｉｏｎ、ｔｂｏｄｙ等の表示されるデータの要旨となる部分に相当するタグを記憶しておく。あるいは、予め設定したＣｌａｓｓ属性を記憶しておいてもよい。制御部２４は、ＨＴＭＬにより記述されたデータに対して最初から順（表示される順）に記憶したタグを検索（捜査）する。制御部２４は、見つかったタグに囲まれている文字列を音声出力する文字列として抽出する。
【００３９】
文字列の抽出は、データにおける部分単位（例えば、１つのタグ単位）で行われてもよい。制御部２４は、抽出された文字列を上記の部分ごとにブロックとし、ブロックの順番で音声出力するよう制御する。ブロックの順番は、データに登場する順番でもよいし、あるいはタグに優先度を設けておき、優先度に応じた順番でもよい。
【００４０】
また、制御部２４は、音声出力を行う部分を抽出するパターンを複数、記憶（用意）しておいてもよい。例えば、タイトルのみ、サマリのみ、ページ全体といったパターンを記憶しておく。制御部２４は、パターン毎に抽出するタグを記憶しておく。何れのパターンが抽出に用いられるかは、例えば、予めユーザにより設定される。あるいは、音声出力を行う情報毎にパターンが設定されていてもよい。
【００４１】
制御部２４は、タッチパネル１１に表示される情報の音声出力を行うように制御すると共にタッチパネル１１による表示を禁止する（表示を無効にする）こととしてもよい。例えば、制御部２４は、タッチパネル１１のバックライトをオフにする（ディスプレイをオフにする）制御を行ってもよい。また、制御部２４は、タッチパネル１１に表示される情報の音声出力を行うように制御すると共にタッチパネル１１によるタッチ操作の受け付けを禁止する（入力操作を無効にする）こととしてもよい。なお、この場合、タッチパネル１１による表示が禁止されていてもよいし、タッチパネル１１による表示が禁止されていなくてもよい。
【００４２】
また、制御部２４は、上記のようにタッチ操作の受け付けを禁止するのではなく、タッチパネル１１に表示される情報の音声出力を行うように制御すると共に、歩行判定部２２による判定に応じて、タッチパネル１１によって受け付けられた操作に応じた自端末１０の動作を設定することとしてもよい。
【００４３】
制御部２４は、歩行判定部２２からユーザが歩行していると判定した旨の通知を受けた場合にタッチパネル１１の表示画面全体を分割した領域を設定する。例えば、図３に示すように５つの領域１１ａ〜１１ｅを設定する。この領域は、角が丸い矩形のタッチパネル１１の各辺の何れかに沿った領域１１ａ〜１１ｄ、及び中央の矩形の領域１１ｅである。制御部２４は、各領域１１ａ〜１１ｅに対して接触（タッチ）された場合に、当該領域１１ａ〜１１ｅに対応付けられた機能が実行されるように制御する。上記のように、制御部２４は、ユーザが歩行中である場合には、自端末１０の入力モードを、タッチパネル１１の表示画面を５つに分割した領域１１ａ〜１１ｅによる入力（操作）を行う入力モードである５パターンモードに変更する。
【００４４】
例えば、制御部２４は、各領域１１ａ〜１１ｅ（図３に示す「１（上部）」〜「５（中央）」の領域、以下同様）に接触された場合には、制御部２４による音声出力（読み上げ）に係る動作（機能）を実行するように制御する。当該動作は、領域１１ａ〜１１ｅ毎に設定（割り当て）されている。当該動作は、例えば、次のブロック（情報）へ進む、前のブロック（情報）へ戻る、読み上げ状態の一時停止／再開、並びに読み上げ状態の終了等の動作である。なお、領域１１ａ〜１１ｅに応じた動作の割り当ては、ユーザあるいは携帯端末１０の製造者等によって予め携帯端末１０に設定される。
【００４５】
この設定は、タッチパネル１１に表示された、操作を行うためのユーザインタフェースを参照しなくても、ユーザが操作を行うことができるようにするものである。また、この設定は、歩行が検出されていない時点でタッチパネル１１に表示されている、操作を行うためのユーザインタフェースとは異なるものである。
【００４６】
また、制御部２４は、状態検出部２１によって検出された自端末１０の姿勢にも応じて、タッチパネル１１によって受け付けられた操作に応じた自端末１０の動作を設定することとしてもよい。この場合、例えば、状態検出部２１（例えば、ジャイロセンサ）によって、自端末１０の姿勢が検出される。制御部２４は、は、この姿勢に基づき、タッチパネル１１の５つの領域のうち地面に対して上にあたる領域を判断して、当該領域を「１（上部）」の領域とする。このように自端末１０の姿勢にも応じて自端末１０の動作を設定することで、ユーザが自端末１０の姿勢を把握できていない場合であっても、ユーザに適切に操作を行わせることができる。なお、この場合、状態検出部２１によって検出された自端末１０の姿勢は、ユーザの歩行の判断に用いられていてもよいし、用いられていなくてもよい。
【００４７】
制御部２４の上記の制御は、ユーザが携帯端末１０を手にして、携帯端末１０の表示を見ながら歩くことを防止するためのものである。従って、携帯端末１０がユーザの手に持たれて、操作されていない場合（例えば、ユーザが所持するカバンの中に携帯端末１０が入っている場合）には、必ずしも上記の制御は有効でない場合がある。そこで、制御部２４は、カメラ１４による時系列な撮像によって得られた時系列な画像に基づいて、自端末１０がユーザの手に持たれているか否かを判定することしてもよい。この判定は、従来の技術と同様に行われてもよい。例えば、撮像によって得られた複数の画像（映像）間に時間的な変化があれば、自端末１０がユーザの手に持たれていると判定する。当該変化がなければ、自端末１０がユーザの手に持たれていないと判定する。
【００４８】
制御部２４は、当該判定にも応じて、タッチパネル１１に表示される情報の音声出力を行うように制御する。制御部２４は、自端末１０がユーザの手に持たれていると判定した場合のみに上記の制御を行う。即ち、制御部２４は、ユーザが歩行中であり自端末１０がユーザの手に持たれていると判定した場合に上記の制御を行う。制御部２４は、ユーザが歩行中であると判定された場合であっても、自端末１０がユーザの手に持たれていないと判定した場合には上記の制御を行わない。
【００４９】
また、制御部２４は、タッチパネル１１に表示される情報の音声出力を行うように制御すると共に、歩行判定部２２による判定に応じて、操作受付部２３によって受け付けられた操作に応じた自端末１０の動作を設定することとしてもよい。例えば、制御部２４は、操作受付部２３から各ボタン１５〜１７が押下された旨の通知を受けた場合には、制御部２４による音声出力（読み上げ）に係る動作（機能）を実行するように制御する。当該動作はボタン１５〜１７毎に設定されている。具体的には、当該動作は、例えば、次のブロック（情報）へ進む、前のブロック（情報）へ戻る、読み上げ状態の一時停止／再開、並びに読み上げ状態の終了等の動作である。なお、各ボタン１５〜１７に応じた動作の割り当ては、ユーザあるいは携帯端末１０の製造者等によって予め携帯端末１０に設定される。
【００５０】
この設定は、タッチパネル１１を参照しなくても、ユーザが音声出力（読み上げ）に係る操作を行うことができるようにするものである。また、この場合、各ボタン１５〜１７が押下された場合の通常の動作は行われない。
【００５１】
また、特定のボタン（例えば、電源ボタン１５）が押下されると、制御部２４は、音声出力（読み上げ）を終了することとしてもよい。また、タッチパネル１１による表示を禁止する制御を行っている場合には、制御部２４は、音声出力の終了と合わせてタッチパネル１１の表示を行う（タッチパネル１１のバックライトをオンにする）制御を行うこととしてもよい。
【００５２】
制御部２４は、歩行判定部２２からユーザが歩行していないと判定した旨の通知を受けた場合には特段の制御は行わない。即ち、この場合には、携帯端末１０は、通常のスマートフォン等と同様の動作を行う。
【００５３】
なお、表示される情報の音声出力中（読み上げ中）にユーザが歩行中でなくなった場合には、制御部２４は、読み上げ終了の操作（指示）がない限り、音声出力（読み上げ）を継続することとしてもよい。また、ユーザが歩行中でなくなった場合に、制御部２４は、その時点で音声出力（読み上げ）を中止（終了）することとしてもよい。
【００５４】
音声出力部２５は、制御部２４から音声データを入力して音声出力する手段である。音声出力部２５は、スピーカー１２及びイヤホンジャック１３を含んで構成される。イヤホンジャック１３にイヤホンが挿入されている場合には、音声出力部２５は、イヤホンジャック１３を介して、音声データをイヤホンに出力する。イヤホンジャック１３にイヤホンが挿入されていない場合には、音声出力部２５は、スピーカー１２から音声データによる音声を出力する。
【００５５】
引き続いて、図４に本実施形態に係る携帯端末１０のハードウェア構成を示す。図４に示すように、携帯端末１０は、ＣＰＵ（Central Processing Unit）１０１、ＲＡＭ（RandomAccess Memory）１０２、ＲＯＭ（Read Only Memory）１０３、移動体通信モジュール１０４及びアンテナ１０５等のハードウェアにより構成されている。また、携帯端末１０はハードウェアとしてタッチパネル１１、センサ１０６、スピーカー１２、カメラ１４及び操作モジュール１０７を備えている。センサ１０６は、上述した速度センサ、加速度センサ及びジャイロセンサに相当する。操作モジュール１０７は、上述した電源ボタン１５、音量調節ボタン１６及びカメラ撮影ボタン１７に相当する。これらの構成要素がプログラム等により動作することにより、上述した機能が発揮される。以上が、携帯端末１０の構成である。
【００５６】
引き続いて、図５のフローチャートを用いて、本実施形態に係る端末である携帯端末１０で実行される処理（携帯端末１０の動作方法）である制御方法を説明する。本処理に先立って、携帯端末１０では、ブラウザが起動されており、タッチパネル１１によってブラウザから入力された情報が表示されている。
【００５７】
本処理では、まず、状態検出部２１によって、自端末１０の物理的な状態が検出される（Ｓ０１、状態検出ステップ）。検出される状態は、例えば、自端末１０の速度、加速度又は姿勢である。検出された自端末１０の状態を示す情報は、状態検出部２１から歩行判定部２２に入力される。続いて、歩行判定部２２によって、状態検出部２１によって検出された状態に基づいて、自端末１０を携帯しているユーザが歩行しているか否かが判定される（Ｓ０２、歩行判定ステップ）。判定結果は、歩行判定部２２から制御部２４に通知される。
【００５８】
自端末１０を携帯しているユーザが歩行していないと判定された場合（Ｓ０２のＮＯ）には、制御部２４による制御は行われず、通常の動作が行われる（Ｓ０３）。
【００５９】
自端末１０を携帯しているユーザが歩行していないと判定された場合（Ｓ０２のＹＥＳ）には、制御部２４による制御が以下のように行われる。まず、制御部２４による制御によって、タッチパネル１１（ディスプレイ）のバックライトがオフ（表示無効）にされる（Ｓ０４、制御ステップ）。また、本処理と併せて、操作受付部２３によって受け付けられた操作に応じた自端末１０の動作が、制御部２４によって設定される。続いて、タッチパネル１１によって表示されているデータが、制御部２４によってブラウザから取得される。続いて、当該データに含まれると共にタッチパネル１１によって表示される情報から音声出力が行われる部分（読み上げブロック）が、制御部２４によって決定される（Ｓ０５、制御ステップ）。
【００６０】
続いて、決定された読み上げブロックのうち、最初のブロックの読み上げが行われる（Ｓ０６、制御ステップ）。読み上げは、ブロックに含まれる文字列に対して制御部２４によって音声合成が行われて、音声合成によって得られた音声データが音声出力部２５によって出力されることによって行われる。
【００６１】
ここで、携帯端末１０のユーザが、携帯端末１０に設けられたボタン１５〜１７のうち、読み上げブロックを変更する（次のブロックへ進む）ものとして設定されたボタンを押下した場合、操作受付部２３によって当該操作が受け付けられる（Ｓ０７、操作受付ステップ）。この上記の設定は、ユーザが歩行中と判定された際に制御部２４によって行われたものである。当該操作が受け付けられた旨は、操作受付部２３から制御部２４に通知される。
【００６２】
続いて、当該通知を受けた制御部２４によって、当該通知に係る操作に応じた動作が実行される。即ち、次のブロックの読み上げが行われる（Ｓ０８、制御ステップ）。ブロックの読み上げは順次行われ、最終ブロックの読み上げが行われる（Ｓ０９、制御ステップ）。
【００６３】
ここで、携帯端末１０のユーザが、携帯端末１０に設けられたボタン１５〜１７のうち、読み上げを終了するものとして設定されたボタンを押下した場合、操作受付部２３によって当該操作が受け付けられる（Ｓ１０、操作受付ステップ）。この上記の設定は、ユーザが歩行中と判定された際に制御部２４によって行われたものである。当該操作が受け付けられた旨は、操作受付部２３から制御部２４に通知される。
【００６４】
続いて、当該通知を受けた制御部２４によって、当該通知に係る操作に応じた動作が実行される。即ち、読み上げが中止され、読み上げ終了の処理が行われる（Ｓ１１、制御ステップ）。
【００６５】
なお、表示される情報の音声出力中（Ｓ０４〜Ｓ０９）には、タッチパネル１１によるタッチ操作の受け付けは禁止（入力操作無効）されてもよいし、入力モードが図３に示すような５パターンモードに変更されてもよい。また、カメラ１４によって撮像された画像に基づいて、携帯端末１０がユーザの手に持たれているか否かが判定されて、当該判定にも応じて表示される情報の音声出力が行われるようにしてもよい。
【００６６】
また、表示される情報の音声出力中（Ｓ０４〜Ｓ０９）に、電源ボタン１５が押下されると、制御部２４による制御によって、タッチパネル１１（ディスプレイ）のバックライトがオンにされると共に音声出力（読み上げ）が終了されてもよい。また、表示される情報の音声出力中（Ｓ０４〜Ｓ０９）に、ユーザが歩行中でなくなった場合には、音声出力（読み上げ）が継続されてもよいし、制御部２４の制御によって、音声出力（読み上げ）が終了されてもよい。以上が、携帯端末１０で実行される処理である。
【００６７】
上述したように本実施形態によれば、ユーザが歩行していると判定される場合には、表示される情報の音声出力が行われる。従って、携帯端末１０を所持するユーザが歩行している場合には、表示画面を見る必要をなくさせることができる。また、情報の音声出力が行われているため、ユーザは歩きながらでも情報を得ることができる。これにより、歩行中に周囲に対する注意力が散漫になることを防ぎ、衝突事故等を減少させることができる。従って、本実施形態によれば、携帯端末１０の危険な利用を防止することができる。即ち、本実施形態によれば携帯端末１０を所持するユーザの危険性を低減することができ、ユーザは安全に携帯端末１０を利用することができる。
【００６８】
また、上述したように、ユーザの歩行を判断するための情報としては、例えば、自端末１０の速度、加速度又は姿勢を用いることとしてもよい。この構成によれば、確実にユーザが歩行しているか否かを判定することができる。従って、この構成によれば、確実に携帯端末を所持するユーザの危険性を低減することができる。但し、ユーザが歩行していると判定できれば、上記以外の情報を用いることとしてもよい。
【００６９】
また、上述したようにタッチパネル１１に表示される情報のうち、音声出力を行う部分を決定すること。この構成によれば、例えば、ユーザに有益な情報のみを音声出力することができる。
【００７０】
また、上述したように音声出力を行っている間は、タッチパネル１１による表示を禁止することとしてもよい。この構成によれば、ユーザの歩行中に、ユーザが表示画面を見ることを防止することができる。従って、この構成によれば、携帯端末１０を所持するユーザの危険性を更に低減することができる。
【００７１】
また、上述したように音声出力を行っている間は、タッチパネル１１によるタッチ操作の入力を禁止することとしてもよい。この構成によれば、ユーザの歩行中に、ユーザが携帯端末１０の表示画面上に対する操作を行うことを防止することができる。従って、この構成によれば、携帯端末を所持するユーザの危険性を更に低減することができる。
【００７２】
また、上述したように音声出力を行っている間は、タッチパネル１１によるタッチ操作を、図３に示すような５パターンモード等に変更することとしてもよい。この構成によれば、例えば、音声出力中に音声出力に対する操作を、表示画面を見ずに行わせることができる。これにより、ユーザの利便性を向上させることができる。なお、タッチ操作に応じた動作は上述した５パターンモードに限られず、ユーザが表示画面を見ずに操作できるものであればどのようなものでもよい。
【００７３】
また、上述したように携帯端末１０がユーザの手に持たれているか否かの判定にも応じて、音声出力を行うようにしてもよい。この構成によれば、必要な場合のみに音声出力を行うことができる。
【００７４】
また、また、上述したように音声出力を行っている間は、携帯端末１０に設けられたボタン１５〜１７による動作を変更することとしてもよい。この構成によれば、例えば、音声出力中に音声出力に対する操作を、表示画面を見ずに行わせることができる。これにより、ユーザの利便性を向上させることができる。
【００７５】
引き続いて、本実施形態の変形例について説明する。音声出力の対象となるタッチパネル１１に表示される情報（例えば、Ｗｅｂページ）を読む速度（スピード）は、ユーザによって異なる。そこで、携帯端末１０では、操作するユーザの通常の文章の読解スピード（Ｗｅｂ閲覧時等に文章を読み進めるスピード）に応じて、自動的に音声出力の速度（音声読み上げスピード）を調整することとしてもよい。以下、当該態様を実現するための構成について説明する。
【００７６】
タッチパネル１１に表示される情報は、全てがタッチパネル１１の画面に収まらない場合には、ユーザの操作によってスクロールされて参照される。当該スクロールの速度（スピード）は、通常、ユーザの文章の読解スピードに応じたものとなる。そこで本実施形態では、音声出力の速度を、スクロールの速度に応じたものとする。
【００７７】
制御部２４は、タッチパネル１１によって表示される情報のスクロールの速度を検出して、検出したスクロールの速度に応じた速度で音声出力を行うように制御する。制御部２４は、任意の手段でスクロールの速度を検出しえるが、例えば、以下の方法によってスクロールの速度を検出（計測）する。
【００７８】
制御部２４は、スクロールの速度を検出するためのパラメータとして文字数（ａ）を予め記憶しておく。この文字数（ａ）は、ユーザあるいは携帯端末１０の製造者等によって予め携帯端末１０に設定される。具体的には例えば、この文字数（ａ）は、４０とされる。制御部２４は、タッチパネル１１によって表示される情報に対して、上記の文字数（ａ）の文章が含まれる領域（ブロック）を設定する。図６（ａ）に示すように、当該領域３０（ｚ）は、タッチパネル１１の表示画面の幅（横方向ｘの長さ）×表示画面の長さ（縦方向ｙの長さ）の矩形である。
【００７９】
制御部２４は、タッチパネル１１によって表示される情報から、文字数をカウントできるテキストを抽出して、当該テキストが表示される部分を設定された文字数（ａ）毎に当該表示される情報の上から順に区切ることで、上記の領域３０を設定する。なお、表示される情報において領域３０が設定される部分は、音声出力の対象となりえる部分（読み上げ対象となりえる部分）のみとしてもよい。即ち、領域３０の設定のために上記の抽出するテキストを、音声出力の対象となりえるテキストのみとしてもよい。当該領域３０は、１つの表示される情報に含まれるテキストの量に応じて、１つの表示される情報に対して複数、設定されえる。図６（ａ）に示すように複数の領域３０が設定される場合には、タッチパネル１１の表示画面の縦方向（ｙ方向）に領域３０が並ぶ。また、表示される情報に含まれるテキストの配置に応じて、個々の領域３０の大きさは互いに異なるものになりえる。例えば、図６（ｂ）に示すように、表示される情報にテキストとして抽出することができない文字以外の画像や表が含まれていて、当該テキストが表示される部分が狭くなる部分については、当該領域３０の縦方向ｙの長さは長くなる。
【００８０】
制御部２４は、各領域３０のスクロールの速度を検出する。このスクロールは、ユーザの操作によって行われ、通常、ユーザが表示される情報である文章（テキスト）を読んだことに応じて上から下の方向に行われる。具体的には、制御部２４は、タッチパネル１１の表示画面における予め設定される縦方向ｙの特定の位置を、スクロールによって当該領域３０の縦方向ｙの上端が通過してから、当該領域３０の縦方向ｙの下端が通過するまでの時間を計測する。当該時間が１つの領域３０あたりのスクロールの速度とされる。なお、スクロールの時間を計測するための基準となる、タッチパネル１１の表示画面における予め設定される縦方向ｙの特定の位置は、ユーザが表示画面において主に文章を読む位置（ユーザの目線が向く位置）とするのがよい。上記の計測した時間は、当該領域３０に含まれる文章（テキスト）をユーザが全て読むまでにかかった時間とみなすことができる。
【００８１】
制御部２４は、各領域３０に対しての速度（時間）の平均を取ることで、スクロールの速度を検出する。平均を取るのは、領域３０毎の時間（スクロールの速度）は常に一定とは限らないためである。なお、ユーザは、１つの表示される情報を読み終えるまでよそ見をしないとも限らない。そのため、計測された時間が予め設定された閾値を超える場合には、制御部２４は、当該計測された時間については、スクロールの速度の算出の値としては用いないこととする。この閾値は、例えば、ユーザ、表示される情報を読んでいないと判断できる大きな値とする。制御部２４は、予め設定された期間（例えば、１ヶ月）において、上記のスクロールの速度を検出してもよいし、ユーザの携帯端末１０の使いはじめからの通算（平均）のスクロールの速度を検出してもよい。
【００８２】
制御部２４は、検出したスクロールの速度に応じた速度で音声出力を行うように制御する。具体的には、制御部２４は、予め、スクロールの速度と音声出力の速度との対応関係を記憶しておく。この対応関係は、通常、スクロールの速度が速いほど、音声出力の速度が速いものである。この対応関係は、ユーザあるいは携帯端末１０の製造者等によって予め携帯端末１０に設定される。制御部２４は、上記の対応関係に基づいて、検出したスクロールの速度から、音声出力の速度を決定する。制御部２４は、決定した音声出力の速度で音声出力がされるように音声合成して音声データを生成する。所定の音声出力の速度での音声データの生成は、従来の技術を行うことができる。
【００８３】
上記の構成によれば、操作するユーザの通常の文章の読解スピードに応じて、自動的に音声出力の速度を調整することができる。即ち、携帯端末１０を用いるユーザに合った速度で音声出力を行うことができる。これにより、ユーザの利便性を向上させることができる。以上が、音声出力の速度の調整に係る構成である。
【００８４】
携帯端末１０における音声出力は、当該携帯端末１０が置かれた環境にも応じて行われてもよい。具体的には、携帯端末１０の位置、携帯端末１０に入力される音、及び現在の時刻の少なくとも何れかの携帯端末１０が置かれた環境にも応じて行われてもよい。以下、その場合の携帯端末１０の構成について説明する。
【００８５】
携帯端末１０は、自端末１０が置かれた環境を検出する環境検出部（図示せず）を更に備えている。環境検出部は、自端末１０の位置（場所）、自端末１０に入力される音、及び現在の時刻の少なくとも何れかを含む自端末１０が置かれた環境を検出する環境検出手段である。環境検出部は、自端末１０の位置、自端末１０に入力される音、又は現在の時刻を検出してもよいし、それらのうち複数を検出してもよい。これらの検出は、従来の技術を用いて行うことができる。また、これらの検出は、携帯端末１０においてタッチパネル１１によって情報の表示が行われている間（音声出力の制御が行われる可能性がある間）、常時行われる。
【００８６】
自端末１０の位置の検出は、例えば、ＧＰＳ（グローバルポジショニングシステム）が用いられて行われる。この場合、検出される位置を示す情報は、自端末１０が位置する緯度及び経度となる。あるいは、携帯端末１０が在圏している移動体通信網の基地局を示す情報を自端末１０の位置としてもよい。自端末１０に入力される音の検出は、例えば、携帯端末１０が備えるマイクによって行われる。この場合、検出される音を示す情報は、マイクに入力される音量を示す数値となる。検出される音は、携帯端末１０の周囲の環境音であり、例えば、周囲の人の声、及び車や電車の音である。現在の時刻の検出は、携帯端末１０が備える時計によって行われる。環境検出部は、検出した環境を示す情報を制御部２４に出力する。
【００８７】
制御部２４は、環境検出部から入力された環境を示す情報にも応じて、タッチパネル１１によって表示される情報の音声出力を行うように制御する。具体的には、制御部２４は、環境を示す情報に応じた判断基準を予め記憶しておき、当該判断基準に基づいて、入力された環境を示す情報から、音声出力を行うか否かを判断する。この判断基準は、ユーザあるいは携帯端末１０の製造者等によって予め携帯端末１０に設定される。なお、この判断は、歩行判定部２２からユーザが歩行していると判定した旨の通知を受けた場合（例えば、図５のフローチャートのＳ０２のＹＥＳの後、Ｓ０４の前）に行うこととしてもよい。
【００８８】
例えば、制御部２４は、環境検出部から入力された情報によって示される自端末１０の位置が、予め設定された音声出力を行うべき位置であるか否かを判断する。制御部２４は、自端末１０の位置が音声出力を行うべき位置であると判断された場合に音声出力を行うと判断する。あるいは、自端末１０の位置が音声出力を禁止すべき位置であるか否かを判断し、当該判断に基づいて音声出力の判断を行うこととしてもよい。音声出力を行うべき位置とは、例えば、表示画面を注視しながらユーザが歩くことが危険な位置である。具体的には、人が多く集まる駅のホーム等、あるいは昇降が必要な階段がある。
【００８９】
また、例えば、制御部２４は、環境検出部から入力された情報によって示される音量が、予め設定された閾値を超えるものであるか否かを判断する。制御部２４は、音量が閾値を超えるものであると判断された場合に音声出力を行うと判断する。これは、例えば、音量が大きい場合には、人又は車等が多く集まっていると考えられ、表示画面を注視しながらユーザが歩くことが危険であることを考慮したものである。なお、場合によっては、音量が閾値を下回るものであると判断された場合に音声出力を行うと判断してもよい。また、この閾値を、検出された自端末１０の位置や現在の時刻等に応じて変えることとしてもよい。
【００９０】
また、例えば、制御部２４は、環境検出部から入力された情報によって示される現在の時刻が、予め設定された時間帯に含まれるものであるか否かを判断する。制御部２４は、現在の時刻が予め設定された時間帯に含まれるものであると判断された場合に音声出力を行うと判断する。
【００９１】
制御部２４は、上記のように環境を示す情報を用いた判断によって音声出力を行うと判断した場合に、上述したようにタッチパネル１１によって表示される情報の音声出力を行うように制御する。上記の構成によれば、ユーザが歩行しているか否かに加えて、携帯端末１０が置かれた環境にも応じて音声出力を行うか否かを判断することができる。従って、この構成によれば、音声出力が適切である環境に携帯端末１０が置かれている場合のみに音声出力を行うことができる。これにより、必要な場合のみに音声出力を行うことができ、ユーザの利便性を向上させることができる。以上が、携帯端末１０が置かれた環境を用いて音声出力を行う構成である。
【００９２】
以下のような場合には、音声出力（音声読み上げ）が必要でない場合も想定される。例えば、携帯端末１０の電池残量が少ない場合、あるいは携帯端末１０が省電力モードに設定されている場合である。この場合、ユーザは、携帯端末１０の機能は電話機能等の最低限の機能のみを動作させて、音声出力（情報の読み上げ）を行うことによる電力の消費を抑えたいと考えられる。そこで、制御部２４は、携帯端末１０の電池残量を検出して、検出した電池残量が予め設定した閾値（例えば、２０％）を下回るか否かを判断して、電池残量が閾値を下回ると判断される場合には、音声出力を行わないと判断してもよい。また、制御部２４は、携帯端末１０が省電力モードに設定されているか否かを判断して、省電力モードに設定されている場合には、音声出力を行わないと判断してもよい。
【００９３】
また、Ｗｅｂ閲覧は、暇つぶしの場合が多く、歩き始めてからも急ぎ把握したい内容とは限らない。また、歩き始めた時に自動的に音声出力（読み上げ）を行ってしまうと、音声を出すべきではない場所であった場合、周囲への迷惑となるおそれがある。それを考慮して、音声出力の開始前に、音声出力を行ってもよい旨のユーザからの操作があった場合のみに音声出力を行うこととしてもよい。この場合、音声出力を行う前に、音声出力を行う旨をユーザに通知する。この通知は、例えば、「読み上げますか？」という音声や、予め設定されたチャイム音を鳴らす等の音声によって行われてもよい。その後一定時間内に、音声出力を行ってもよい旨のユーザからの操作があった場合のみに音声出力を行う。音声出力を行ってもよい旨のユーザからの操作は、例えば、携帯端末１０のグリップ部分を、予め設定されたリズムで握りしめる動作である。携帯端末１０では、例えば、圧力センサが用いられて上記の動作が検出される。また、当該操作は、タッチパネル１１の特定位置へのユーザの接触等であってもよい。また、上記の電池残量が閾値を下回わっている場合、又は携帯端末１０が省電力モードに設定されている場合にユーザに通知を行って、音声出力を行ってもよい旨のユーザからの操作があった場合のみに音声出力を行うこととしてもよい。
【００９４】
なお、上記の判断は、歩行判定部２２からユーザが歩行していると判定した旨の通知を受けた場合（例えば、図５のフローチャートのＳ０２のＹＥＳの後、Ｓ０４の前）に行うこととしてもよい。また、音声出力を行わないと判断した場合であっても、ユーザのタッチパネル１１への注視を防止する制御、例えば、上述したタッチパネル１１の無効化を行うこととしてもよい。
【符号の説明】
【００９５】
１０…携帯端末、１１…タッチパネル、１２…スピーカー、１３…イヤホンジャック、１４…カメラ、１５…電源ボタン、１６…音量調節ボタン、１７…カメラ撮影ボタン、２１…状態検出部、２２…歩行判定部、２３…操作受付部、２４…制御部、２５…音声出力部、１０１…ＣＰＵ、１０２…ＲＡＭ、１０３…ＲＯＭ、１０４…移動体通信モジュール、１０５…アンテナ、１０６…センサ、１０７…操作モジュール。
【図１】
2015194992.tif 000003
【図２】
2015194992.tif 000004
【図３】
2015194992.tif 000005
【図４】
2015194992.tif 000006
【図５】
2015194992.tif 000007
【図６】
2015194992.tif 000008